(57)【要約】【課題】  混合注入液間での混合比率を自在に精度よく選定して混合することが可能で、注入すべき液体をカプセル化して携帯したり被注入側容器ともセットにできる混合注入器を提供することを目的とする。【解決手段】  それぞれ異なった種類の注入液１２Ａ、１２Ｂを封入した複数の注入容器６Ａ、７Ａおよび６Ｂ、７Ｂを注入器本体２内に各別操作可能に併置配列するとともに、これら複数の注入容器におけるそれぞれの注入量検出手段１５を設けたことにより、複数の注入容器をコンパクトに取りまとめておくことができ、それぞれの注入量を正確に把握しつつ被注入液体に対する混合比率はもとより、混合すべき混合注入液１２Ａ、１２Ｂ間での混合比率もコントロールできるので、嗜好に対応した飲料液体に対する添加物の混合はもとより、医薬品等における調合等の正確な混合比率を要する混合にも適用できる。【選択図】  図１
2007246109.tif 000002
【特許請求の範囲】
【請求項１】
異なった種類の注入液を所定の混合比率で混合する混合注入器において、それぞれ注入液を封入した複数の注入容器を注入器本体内に各別操作可能に併置配列するとともに、これら複数の注入容器におけるそれぞれの注入量検出手段を設けたことを特徴とする混合注入器。
【請求項２】
前記注入器本体の上下部の少なくとも一方に開封錠を介してキャップ部材を螺合してカプセル化したことを特徴とする請求項１に記載の混合注入器。
【請求項３】
前記注入器本体の下部注入側に開封錠を介して被注入側容器を螺合してカプセル化したことを特徴とする請求項１に記載の混合注入器。
【請求項４】
前記注入容器が、注入ノズルを下部に有して注入液を封入したシリンダ部材とシリンダ部材に密封リングを介して嵌合されたピストン部材とから構成されたことを特徴とする請求項１から３のいずれかに記載の混合注入器。
【請求項５】
前記ピストン部材が押圧部材により押下されるように構成したことを特徴とする請求項４に記載の混合注入器。
【請求項６】
前記注入量検出手段が、ピストン部材の押下量を目視できる注入器本体側面に設けられた透明窓に付された目盛部により構成されたことを特徴とする請求項１に記載の混合注入器。
【請求項７】
前記注入量検出手段が、複数のピストン部材または押圧部材の対向面に付された目盛部により構成されたことを特徴とする請求項１に記載の混合注入器。
【請求項８】
前記押圧部材の対向面間にガイド部材を形成したことを特徴とする請求項５に記載の混合注入器。
【請求項９】
前記キャップ部材に吊下げ用孔を形成したことを特徴とする請求項２に記載の混合注入器。
【請求項１０】
前記カプセル化された各部材を分解分別可能に構成してリサイクル可能に構成したことを特徴とする請求項１から９のいずれかに記載の混合注入器。
【発明の詳細な説明】
【技術分野】
【０００１】
本発明は、異なった種類の注入液を所定の混合比率で混合する混合注入器に関する。コーヒー等の飲料液体へのシロップ等の添加物や風味料の添加、食品に添加するソースや辛子の好みの量の混合添加、カクテル酒作成の際の構成酒や風味料の混合、医療現場における処置薬や飲み薬の調合の際の複数夜の混合、摂取時に配合しなければならない服用薬品の混合、検査薬や測定キットでの薬品の混合等、多岐に渡る分野での液体の混合に適用が可能である。
【背景技術】
【０００２】
従来、甘味料や風味料を添加したコーヒー等の飲料液体は、缶やペットボトル入りのコーヒーが自動販売機等により販売されている。缶やペットボトルに封入されたコーヒー等の飲料液体では、添加される甘味料や風味料が所定の割合で決まっている。飲用者の嗜好に対応させるためには、添加される甘味料や風味料の含有量を異にする多種類の製品（例えば、無糖、微糖、平均的な糖量のもの等）を販売側で準備しなければならず、コストアップを招く他、飲用者の細かな嗜好には充分に対応することは困難であった。そのようなことから、ペットボトル等に封入された飲料の原料に対して、ペットボトルに付属する容器から添加物や風味料を混合する飲料容器が提案された（例えば、下記特許文献１参照）。また、飲料液体ではないが、異なる種類の２液を一定比率で混合して一定量だけ排出できるものとして２液混合分注容器がある（下記特許文献２参照）。
【特許文献１】特開２００５−１４９１９号公報（公報段落００１８参照）
【特許文献２】特開２００４−３５１０３０号公報（請求項１参照）
【発明の開示】
【発明が解決しようとする課題】
【０００３】
前記特許文献１に開示された飲料容器を図１１を用いて簡単に説明する。飲料液体１０１が封入された容器本体１０２を逆さに倒立させた上で、開封紐１１５を引き剥がして取り除く。これにより、付属容器１０４の胴部１１３と容器本体１０２の胴部下端（図面では上端）との間に隙間Ｓが生じる。そこで、容器本体１０２に対して付属容器１０４を回動させることが可能となり、容器本体１０２の下底部の口部１０８の螺子１０７に螺合する付属容器１０４の口部１１０の前進（図面下方）によって、付属容器１０４の開封具１１２が容器本体１０２の下底部の口部１０８を封鎖しているシート部１０９を突き破る。これによって、付属容器１０４内に収納された粉状の添加物等１０３が容器本体１０２内の飲料液体１０１に溶け込んでいくように構成されたものである。
【０００４】
上述した構成により、飲用現場での飲用者の嗜好に合わせて飲料液体１０１に対する添加物等１０３の含有割合をある程度コントロールすることが可能となった。しかしながら、前記特許文献１に開示されたものは、本来、付属容器１０４内の添加物等１０３の全量を混合することにより、飲用現場で飲料液体を作ることを目的としており、不活性ガス等の封入等、予め混合しておくことで劣化し易い飲料液体として適切なものに過ぎず、飲料液体に対するより細かな嗜好に対応させたり、また、薬品や検査夜の正確な混合比率を達成させるには不充分であった。
【０００５】
また、前記特許文献２に開示された２液混合分注容器を図１２を用いて簡単に説明する。２本の平行なシリンダ２１１、２１１を形成する本体２１０と、これら各シリンダ２１１に挿入される２本の平行なピストン２２１、２２１を形成するプランジャ２２０と、前記本体２１０の前端に装着される混合ノズル２３０とを備えてなり、プランジャ２２０を押してピストン２２１、２２１を前進させると、シリンダ２１１、２１１内の液圧により混合ノズル２３０の栓体２３２、２３２が開き、シリンダ２１１、２１１からの２液は、ガイド体２１４を介してキャビティ２３４内にて均一に混合され、注出口２３５を介して排出される。
【０００６】
このような構成により、混合ノズル２３０は、キャビティ２３４内にてシリンダ２１１、２１１からの２液を均一に混合して定量だけ排出するとともに、栓体２３２、２３２を介してシリンダ２１１、２１１の前端を封止することができるから、最少の構成部材でありながら、使い勝手が極めて良好である上、不使用時には薬液等の漏出がなく、安全性の向上が図れることとなった。しかしながら、この２液混合分注容器にあっても、プランジャ２２０を構成するシリンダ２１１、２１１は一体にて移動するものであり、注出口２３５から排出されて被注入側容器等に収納された被注入液体に対する混合比率は自在に調整できるものの、シリンダ２１１、２１１内に封入された２液間の混合比率は一定でこれらの混合比率を調整することは不可能であった。
【０００７】
そこで、本発明では、前記従来の混合容器の諸課題を解決して、混合注入液間での混合比率を自在に精度よく選定して混合することが可能で、注入すべき液体をカプセル化して携帯したり被注入側容器とセットにすることも可能な混合注入器を提供することを目的とする。
【課題を解決するための手段】
【０００８】
そのため本発明は、異なった種類の注入液を所定の混合比率で混合する混合注入器において、それぞれ注入液を封入した複数の注入容器を注入器本体内に各別操作可能に併置配列するとともに、これら複数の注入容器におけるそれぞれの注入量検出手段を設けたことを特徴とする。また本発明は、前記注入器本体の上下部の少なくとも一方に開封錠を介してキャップ部材を螺合してカプセル化したことを特徴とする。また本発明は、前記注入器本体の下部注入側に開封錠を介して被注入側容器を螺合してカプセル化したことを特徴とする。また本発明は、前記注入容器が、注入ノズルを下部に有して注入液を封入したシリンダ部材とシリンダ部材に密封リングを介して嵌合されたピストン部材とから構成されたことを特徴とする。また本発明は、前記ピストン部材が押圧部材により押下されるように構成したことを特徴とする。また本発明は、前記注入量検出手段が、ピストン部材の押下量を目視できる注入器本体側面に設けられた透明窓に付された目盛部により構成されたことを特徴とする。また本発明は、前記注入量検出手段が、複数のピストン部材または押圧部材の対向面に付された目盛部により構成されたことを特徴とする。また本発明は、前記押圧部材の対向面間にガイド部材を形成したことを特徴とする。また本発明は、前記キャップ部材に吊下げ用孔を形成したことを特徴とする。また本発明は、前記カプセル化された各部材を分解分別可能に構成してリサイクル可能に構成したことを特徴とするもので、これらを課題解決のための手段とするものである。
【発明の効果】
【０００９】
本発明では、異なった種類の注入液を所定の混合比率で混合する混合注入器において、それぞれ注入液を封入した複数の注入容器を注入器本体内に各別操作可能に併置配列するとともに、これら複数の注入容器におけるそれぞれの注入量検出手段を設けたことにより、複数の注入容器をコンパクトに取りまとめておくことができ、それぞれの注入量を正確に把握しつつ被注入液体に対する混合比率はもとより、混合すべき混合注入液間での混合比率もコントロールできるので、嗜好に対応した飲料液体に対する添加物の混合はもとより、医薬品等における調合等の正確な混合比率を要する混合にも適用が可能となる。
【００１０】
また、前記注入器本体の上下部の少なくとも一方に開封錠を介してキャップ部材を螺合してカプセル化した場合は、注入容器内に封入された注入液の劣化の抑制や悪戯等による誤注入が防止されるとともに、開封錠の破断が目視により外部から判別できるので、カプセル化された注入器本体が新品か使用済みかの判断も容易にできる。しかも、カプセル化した混合注入器を携行して持ち運べるので、飲料や食品への嗜好添加物あるいは服用時に混合が必要な薬用液として身に付けておくことも可能となる。さらに、前記注入器本体の下部注入側に開封錠を介して被注入側容器を螺合してカプセル化した場合は、飲用者毎に添加物や風味料の含有割合等の調整が可能なものとして、缶やペットボトルに付属させて主飲料が収納された被注入側容器とともに製品化することが可能となる。
【００１１】
さらにまた、前記注入容器が、注入ノズルを下部に有して注入液を封入したシリンダ部材とシリンダ部材に密封リングを介して嵌合されたピストン部材とから構成された場合は、汎用のシリンダおよびピストンを揃えるだけで注入液の保管と精密で精度のよい注入が可能となる。また、前記ピストン部材が押圧部材により押下されるように構成した場合は、ピストン部材をガラス等の壊れ易いものから構成しても、外部に露呈する押圧部材を丈夫にできるので、設計の自由度が向上する。
【００１２】
さらに、前記注入量検出手段が、ピストン部材の押下量を目視できる注入器本体側面に設けられた透明窓に付された目盛部により構成された場合は、この透明窓の目盛部により各ピストン部材の押下量すなわち注入量を正確に目視して、各ピストン毎の注入量を決定し、それぞれの注入量を正確に把握しつつ被注入液体に対する混合比率はもとより、混合すべき混合注入液間での混合比率もコントロールできる。さらにまた、前記注入量検出手段が、複数のピストン部材または押圧部材の対向面に付された目盛部により構成された場合は、これらのピストン部材または押圧部材の相対移動により現れた対向面に付された目盛部を把握して、正確にそれぞれのシリンダ内の注入液の注入量を把握することができ、注入器本体側面に透明窓を付す必要がなく、注入器本体の構成が簡素化される。
【００１３】
また、前記押圧部材の対向面間にガイド部材を形成した場合は、シリンダから遠く外れた部分での、押圧部材の相対移動が円滑かつ正確に行われて、注入液の注入量が精度よく確保される。さらに、前記キャップ部材に吊下げ用孔を形成した場合は、カプセル化した混合注入器を携行して持ち運ぶ際に紐を介して首等に吊り下げることができて簡便である。さらにまた、前記カプセル化された各部材を分解分別可能に構成してリサイクル可能に構成した場合は、リサイクル時の分別が容易となる上、注入器等の洗浄の後に新しい注入液等を充填して再使用することができて、環境に優しい。
【発明を実施するための最良の形態】
【００１４】
以下、本発明の混合注入器の実施例を図面に基づいて詳細に説明する。図１は本発明の混合注入器の第１実施例を示す断面および外観斜視図、図２はその分解斜視図、図３は押圧部材の押下状態を示す斜視図、図４は本発明の混合注入器の第２実施例を示す斜視図、図５は本発明の混合注入器の第３実施例を示す断面および外観斜視図、図６はその分解斜視図、図７は本発明の混合注入器の第４実施例を示す断面および外観斜視図、図８はその分解斜視図、図９は本発明の混合注入器の第５実施例を示す外観斜視および断面図、図１０はその分解斜視図である。
【実施例１】
【００１５】
本発明の基本的な構成は、図１（Ａ）に示すように、異なった種類の注入液を所定の混合比率で混合する混合注入器１において、それぞれ注入液１２Ａ、１２Ｂを封入した複数の注入容器６Ａ、７Ａおよび６Ｂ、７Ｂを注入器本体２内に各別操作可能に併置配列するとともに、これら複数の注入容器６Ａ、７Ａおよび６Ｂ、７Ｂにおけるそれぞれの注入量検出手段（目盛部１５）を設けたことを特徴とする。図２も参照しつつ説明する。本実施例では、それぞれ注入液１２Ａ、１２Ｂを封入した２つのシリンダ７Ａ、７Ｂが併置配列されて注入器本体２内に収納される。各シリンダ７Ａ、７Ｂ内にはピストン部材６Ａ、６Ｂが各２列の密封リング８Ａ、８Ｂを介して水密に嵌合される。これらのピストンとシリンダとにより注入容器が構成される。シリンダ７Ａ、７Ｂの下端部には注入ノズル９Ａ、９Ｂが形成されている。
【００１６】
前記ピストン部材６Ａ、６Ｂの上端部は、それらの上部に配設された押圧部材５Ａ、５Ｂの下端部に形成した凹部（図１０の２１参照）に係合される。これらの注入容器は後述する図３に示すように、注入器本体２内において各別に押下操作可能に構成される。注入容器を構成するシリンダとピストンおよび密封リング等は汎用のものを揃えるだけで、注入液の品質の維持を可能にする保管と精密で精度のよい注入が可能となる。また、ピストン部材６Ａ、６Ｂをガラス等の壊れ易いものから構成しても、外部に露呈する押圧部材５Ａ、５Ｂを丈夫なもので構成できるので、設計の自由度が向上する。                  
【００１７】
本実施例では、注入器本体２の上部に開封錠１０を介してキャップ部材３を螺合するとともに、前記注入器本体２の下部注入側に開封錠１１を介して被注入側容器４を螺合してカプセル化する。つまり、注入器本体２の上端部外周に形成した螺子部２Ｍに、キャップ部３の下端部内周に形成した螺筒部３Ｆを螺合する。その後、開封錠１０にて封止する。一方、注入器本体２の下端部の内周に形成した螺筒部２Ｆに、缶やペットボトルに主飲料等が収納された被注入側容器４（図示の例ではペットボトル。首部のみが示されており、下方の本体部は図示省略されている）の首部外周に形成された螺子部４Ｍを螺合する。その後、開封錠１１にて封止する。
【００１８】
このように構成したことにより、開封錠１０や開封錠１１の存在によって、被注入側容器４内の主飲用液体やシリンダ部材内に封入された注入液体１２Ａ、１２Ｂが外部と遮断されて品質が維持された保管を可能とする。また、被注入側容器４と注入器本体２とを開封錠１０、１１を介してカプセル化することによっって、注入容器内に封入された注入液の悪戯等による誤注入が防止されるとともに、開封錠１０、１１の破断が目視により外部から判別できるので、カプセル化された注入器本体が新品か使用済みかの判断も容易にできる。しかも、カプセル化した混合注入器１を被注入側容器４とともに携行して持ち運べるので、飲用現場での飲料液体等への嗜好添加、あるいは服用時に混合が必要な薬用液として身に付けておくことも可能となる。図１（Ｂ）はカプセル化された外観斜視図、図２は構成部品を分解して示したもので、各部品の組立状態がよく理解される。
【００１９】
図３は押圧部材の押下状態を示す斜視図である。図１に示した前記キャップ部材３を開封方向に回動させることで、その螺筒部３Ｆが注入器本体２における螺子部２Ｍから後退し、キャップ部材３と注入器本体２側に嵌合した開封錠１０との間が分離切断される。キャップ部材３を取り外した上で、図３に示すように、各シリンダ６Ａ、６Ｂの上端部に係合された押圧部材５Ａ、５Ｂを各別に押下操作する。図示の例では、注入液１２Ｂが封入されたシリンダ７Ｂ側の押圧部材５Ｂを所定量だけ押下した状態が示されている。押圧部材５Ａ、５Ｂの対向面にはそれぞれ注入量検出手段である目盛部１５が刻設されているので、この目盛部１５を読むことで、注入液１２Ｂの注入量を知見できる。次に、注入液１２Ａが封入されたシリンダ７Ａ側の押圧部材５Ａを所定量だけ押下すると、目盛部１５が所定量だけ隠れる。この量を検出することで、注入液１２Ａの注入量を知見できる。このようにして、注入液１２Ａと注入液１２Ｂとの混合比率を自在に設定できる上に、これらの注入液が注入されるべき前記被注入側容器４内に封入されている主飲料液体に対する注入液１２Ａと注入液１２Ｂの混合割合も正確かつ精密に設定することができる。
【００２０】
かくして、注入器本体部２と被注入側容器４とをカプセル化して携行することにより、飲料液体に対する甘味料や風味料の好みの混合注入、飲み薬原液に対する各種成分液の混合注入、カクテル基本酒に対する付属酒や風味料の混合注入、家庭用検査薬や環境ホルモン等の測定薬に対する付属薬の混合注入、流動食品に対する付属流動食品や風味料の混合注入、特に、事前に混合しておくと品質が維持できないため、服用時に混合をせざるを得ない飲用服用薬等の混合注入、個人差、時間差で服用する量を変えなければならない飲用服用薬の混合注入等に有効である。このように、被注入側の主液体に対して混合注入すべき複数の注入液の混合比率共々に混合比率を自在に調整して選定することが可能となり、従来のように他種類の混合比率を持った製品を準備する必要がなくなり、自販機や商品棚の数を少なくして、その分、さらに他種類の商品を設置することを可能にする。
【実施例２】
【００２１】
図４は本発明の混合注入器の第２実施例を示す斜視図である。本実施例のものは、前記押圧部材５Ａ、５Ｂの対向面間にガイド部材１６、１７を形成したものである。前記図１の実施例のように、注入容器であるシリンダ７とピストン６から遠く外れた部分に押圧部材５Ａ、５Ｂが配設されるような場合には、シリンダ７に対するピストン６の初期動作において密封リング８を介したガイドが円滑になされない虞れがある（外周側でのガイド機能はあるものの、あまりタイトにすると押下が円滑になされないため、ある程度はルーズにする必要がある）。そのため、押圧部材５Ａ、５Ｂの対向面間にガイド部材１６、１７を形成したものである。一方を突条部１６とし、他方をこれに対応して嵌合する溝部１７とした。突条部１６の表面と溝部１７の底部（図示省略）には、注入量検出部である目盛部１５がそれぞれ刻設される。このような構成により、押圧部材５Ａ、５Ｂの相対移動が円滑かつ正確に行われて、注入液の注入量が精度よく確保される。
【実施例３】
【００２２】
図５は本発明の混合注入器の第３実施例を示す断面および外観斜視図である。前記実施例のものがピストン部材６を別部材の押圧部材５により操作していたのに対して、本実施例のものでは、半円弧断面形状（図６参照）のピストン部材６Ａ、６Ｂ自体が押圧部材５を兼用するものである。したがって、上下の軸方向の長さを縮小させて嵩を減少でき、コンパクトなカプセル体を得ることができる。キャップ部３および被注入側容器４に対する開封錠を介した螺合形態等は前記実施例のものと同様なので説明を省略する。
【００２３】
図６は前記図５の混合注入器の第３実施例の分解斜視図である。注入液１２Ａ、１２Ｂ（図５（Ａ））を区画するシリンダ７Ａ、７Ｂは注入器本体２自体から構成され、それらの間に隔壁１３が配設される。本実施例では、ピストン部材６Ａ、６Ｂ自体が押圧部材５を兼用する。前記隔壁１３の存在によって、押圧部材５を兼用するピストン部材６Ａ、６Ｂの対向面には隙間が形成されることから、この対向面には前記実施例のもののような目盛部を形成することは困難である。そこで、図示の例のように、注入器本体２の側面に、ピストン部材６Ａ、６Ｂの押下量を目視できる透明窓１４に付された目盛部１５を刻設形成した。この透明窓１４の目盛部１５により各ピストン部材６Ａ、６Ｂの押下量すなわち注入量を正確に目視して、各ピストン毎の注入量を決定することができる。
【実施例４】
【００２４】
図７は本発明の混合注入器の第４実施例を示す断面および外観斜視図、図８はその分解斜視図である。前述した各実施例のものと異なり、本実施例では、注入液側のみをカプセル化して構成したものである。つまり、主飲料液体等が封入される被注入側容器４とは独立させて構成した。これにより、被注入側が液体でも固形状の食品等でもいかなるものにも混合注入が可能となるものである。図７に示すように、注入器本体２の上部および（注入側である）下部の両方を上部開封錠１０および下部開封錠１９を介して上部キャップ部材３および下部キャップ部材１８を螺合してカプセル化したものである。なお、１８Ｍは下部キャップ部材１８の上端部に刻設された螺子部で、注入器本体２の下端部内周の螺筒部２Ｆに螺合される。
【００２５】
このように構成することにより、カプセル化した小さな混合注入器１を携行して持ち運べるので、飲料や食品への嗜好添加物あるいは服用時に混合が必要な薬用液として印籠のような形態にて身に付けておくことが可能となる。また、このようにして構成したカプセル体を簡略な構成として、食堂やコンビニエンスストア等に置いておき、手を汚すことなくソースや辛子等の注入具として利用することも可能となる。また、汎用の付属薬品を封入したカプセル体を病院や薬局に常備しておくことで、付属薬品自体の混合注入はもとより、生理的食塩水等の被注入側液体への混合注入を簡便に行うことが可能となる。注入器本体を完全にカプセル化できるので、注入容器内に封入された注入液の劣化の抑制や悪戯等による誤注入が防止されるとともに、開封錠の破断が目視により外部から判別できるので、カプセル化された注入器本体が新品か使用済みかの判断も容易にできる。
【実施例５】
【００２６】
図９は本発明の混合注入器の第５実施例を示す外観斜視および断面図、図１０はその分解斜視図である。図９および図１０のいずれもが上下逆の倒立した状態にて描かれている。これは、混合注入器１を携行して持ち運ぶ状態を示しているからである。図９（Ｂ）に示すように、シリンダ７の注入ノズル９が臨んでいて、注入液の注入部を構成する下部キャップ部１８の底部（図面上部）に、吊下げ用孔２０が形成される。これにより、カプセル化した混合注入器１を携行して持ち運ぶ際に紐を介して首等に吊り下げることができて簡便である。なお、注入ノズル９が下方に位置する場合でも、本来、表面張力により注入液が漏洩する虞れはないが、本実施例では、注入ノズル９が上方に位置することでさらに注入液の漏洩の虞れがなくなる。２Ｍ２、２Ｍ１はそれぞれ注入器本体部２の上下端部に刻設された上下のキャップ部材３、１８を螺合する螺子部を示す。
【００２７】
図１０の分解図に明確に示されるように、本実施例では、注入すべき注入液が４種類用いられる例である。したがって、混合注入器１は、図面下から順に、上部キャップ部材３、４つの９０°の扇形角度を有する互いに対向配列された押圧部材５Ａ〜５Ｄ、押圧部材５Ａ〜５Ｄの端面に形成された凹部２１に係合する４つのピストン部材６Ａ〜６Ｄ、４つのピストン部材６Ａ〜６Ｄを嵌合して４種類の注入液が封入される４つのシリンダ７Ａ〜７Ｄ、４つのシリンダ７Ａ〜７Ｄの各先端の注入ノズル９Ａ〜９Ｄが挿入係合されるノズル孔２Ａ〜２Ｄを底部に形成して前記押圧部材５、ピストン部材６およびシリンダ７が収納される注入器本体２に分解される。注入器本体２の下端部（図面上部）には下部キャップ１８が開封錠を介して螺合される。かくして、４種類の注入液が封入された混合注入器１により、より多彩な注入液の混合注入が可能となる。
【００２８】
前述してきた混合注入器の構成部品は、カプセル化された各部材を分解分別可能に構成してリサイクル可能に構成される。このように構成することにより、リサイクル時の素材毎の分別が容易となる上、注入器等の洗浄の後に新しい注入液等を充填して再使用することができて、環境に優しい。
【００２９】
以上、本発明の実施例について説明してきたが、本発明の趣旨の範囲内にて、注入液の種類、注入容器を構成するシリンダおよびピストンの形状、形式（注射器等を転用したシリンジから製造することもできる）およびその併置配列形態（３個配列の場合は１２０°の扇形断面を有する押圧部材が対向配列される。等径のシリンダを併置配列するのが好適であるが、注入量が少ないものの径を小さくした組合せ等も採用できる）ならびにそれらの材質（ガラスやプラスティックの複数を併置して接着してもよいし、複数のシリンダ等を一体にて成形しておくこともできる）、注入量検出手段の形状、形式（押圧部材の対向面に刻設した目盛部の他、注入器本体側面の透明窓への目盛部の設置、押圧部材の外周面に目盛部を刻設して注入器本体の上端縁から隠れていく目盛りを検出してもよい）およびその設置部位、開封錠の形状（幅等、色彩を施して開封時にはキャップ部を分離したことを識別できるようにしてもよい）、形式およびその注入器本体部への設置形態（単なる嵌合の他、好適には注入液の劣化防止のため、外部との密封効果のある密封リング等を介在させてもよい）等については適宜選定できる。
【００３０】
また、混合注入器としてのカプセル化形態（比較的大容量のものからソースや辛子等が収納される程度の微細なものまで構成できる）、被注入側容器の形状、形式（ペットボトル形状、缶形状、パック形状、注入器本体側についても、被注入側容器と同径でもよい）、被注入側液体の種類、注入ノズルの形状、密封リングの形状、形式（Ｏリングが好適であるが、その他の適宜のものが採用可能である）およびシリンダ部材への装着形態（押下操作が円滑になりかつ密封効果の高い２重リングが好適である）、ガイド部材（単条、複数条等、突条や溝の断面形状も台形、半円形、方形等適宜のものが採用され得る）を含む押圧部材の形状（断面が均等円弧形状、均等３分割扇形、均等４分割扇形、不均等円弧形状、不均等扇形形状等）、形式おびピストン部材との係合形態、キャップ部材における吊下げ用孔の形状、カプセル化された各部材の分解形態（接着剤等を使用せずに、各部品の嵌合等による組立形式）ついても適宜選定することができる。
【図面の簡単な説明】
【００３１】
【図１】本発明の混合注入器の第１実施例を示す断面および外観斜視図である。
【図２】同、その分解斜視図である。
【図３】同、押圧部材の押下状態を示す斜視図である。
【図４】本発明の混合注入器の第２実施例を示す斜視図である。
【図５】本発明の混合注入器の第３実施例を示す断面および外観斜視図である。
【図６】同、その分解斜視図である。
【図７】本発明の混合注入器の第４実施例を示す断面および外観斜視図である。
【図８】同、その分解斜視図である。
【図９】本発明の混合注入器の第５実施例を示す外観斜視および断面図である。
【図１０】同、その分解斜視図である。
【図１１】第１従来例の飲料容器の断面図である。
【図１２】第２従来例の２液混合分注容器の断面図である。
【符号の説明】
【００３２】
１        混合注入器（カプセル体）
２        注入器本体部
２Ｍ        螺子部
２Ｆ        螺筒部
３        上部キャップ部材
３Ｆ        螺筒部
４        被注入側容器（缶、ペットボトル、薬剤容器等）
４Ｍ        螺子部
５        押圧部材
６        注入容器（ピストン部材）
７        注入容器（シリンダ部材）
８        密封リング（Ｏリング等）
９        注入ノズル
１０        上部（キャップ用）開封錠                                          
１１        下部（容器用）開封錠
１２Ａ      注入液（Ａ液）
１２Ｂ      注入液（Ｂ液）
１５        注入量検出手段（目盛部）
【図１】
2007246109.tif 000003
【図２】
2007246109.tif 000004
【図３】
2007246109.tif 000005
【図４】
2007246109.tif 000006
【図５】
2007246109.tif 000007
【図６】
2007246109.tif 000008
【図７】
2007246109.tif 000009
【図８】
2007246109.tif 000010
【図９】
2007246109.tif 000011
【図１０】
2007246109.tif 000012
【図１１】
2007246109.tif 000013
【図１２】
2007246109.tif 000014